Podtech/llm-jp-corpus-v4-ja_patent huggingface dataset:
(57)【要約】【課題】病院等から処方された複数種の薬剤の飲み忘れ、飲み間違いを解決するため、服用時毎１回分に小分けし、本人だけでなく誰にでも服用の確認が出来る薬袋を提供する。【解決手段】袋表面に「朝食後」「昼食後」「夕食後」等、服用時毎に予め色別の表示をする。必要な薬袋に服用する１日分の薬剤を１回分毎に分けて収納し、常備もしくは携帯し服用する。【選択図】  図１
0003121523.tif 000002
【実用新案登録請求の範囲】
【請求項１】
複数種類の服用薬を１日の内で服用条件に合わせた１回分毎に区別のできる小分け薬袋に関し、服用条件毎に予め服用時別の表示を色別に行い、ベロ付封筒状で封入後に蓋のできる形状をした紙製素材とし、１回分の薬を入れる程度で持ち運びに適した小型サイズの服用時別薬袋。
【考案の詳細な説明】
【技術分野】
【０００１】
本考案は、病院等から処方された複数種の薬剤を、服用１回分毎に分けておくことで、飲み忘れ、飲み間違いを防止するための薬袋に関するものである。
【背景技術】
【０００２】
従来病院等から処方された薬剤は、薬袋に服用期間に応じた量、種類を一纏めにして渡されるのが一般的であり、それらをその都度、指示に沿って薬袋より直接取り出し、定められた時間に服用する。
【特許文献１】なし
【考案の開示】
【考案が解決しようとする課題】
【０００３】
病院等から処方される薬剤は、必要に応じた量、複数種の薬剤が混在して収納されているため、飲み忘れたり、あるいは服用量や服用時を間違えてしまう場合がある。
【０００４】
ポリ袋やプラスッチック製の仕分けケースは１日分、１週間分のものが多く、携帯しにくい大きさであるため手軽さに欠ける。
【課題を解決するための手段】
【０００５】
上記のような課題を解決するため、薬袋表面に服用時毎に「朝食後」「昼食後」「夕食後」等、予め色別の表示をし、服用する１日分の薬を１回分毎に分けて収納するものである。ポケットサイズで、在宅時だけでなく外出時もそのまま携行し、飲み忘れや飲み間違いを防止することが出来る。
【０００６】
紙製で軽く、その日のその時に必要な分の薬剤だけを分けることが出来るため携帯しやすく、頓服や短期間の服用等でも、気軽に使用することが出来る。
【考案の効果】
【０００７】
服用時毎に予め色別の表示がされているので、複数種の薬剤を各服用時の１回分毎に分けて収納することによって、定められた時間に規定量を正しく服用することができる。又本人だけでなく、誰にでも容易に服用の援助ができ、携帯が容易なため、飲み忘れや飲み間違えを防止することが出来る。
【考案を実施するための最良の形態】
【０００８】
図１に示す表示２には、「朝食後」「昼食後」「夕食後」等、薬剤の服用時毎に予め色別の表示がされている。必要とする薬袋に服用する１回分の薬剤を入れ、常備もしくは携帯し服用する。表示３、４には、必要に応じて服用月日、氏名を記入する。色別になっている為服用時がより明確になり、本人だけでなく、誰でも容易にチェックすることが出来、飲み忘れ、飲み間違いを防止する。
【実施例１】
【０００９】
服用に援助が必要な高齢者や幼児に目が行き届かない際、服用の確認が困難である。飲み忘れ、飲み間違いを防止する為、事前に必要とする薬袋に１回分の薬剤を入れ、常備もしくは携帯する。
【図面の簡単な説明】
【００１０】
【図１】本考案の正面図
【符号の説明】
【００１１】
１  薬袋本体
２  服用時間帯
３  月日欄
４  氏名欄
【図１】
0003121523.tif 000003
(57)【要約】【課題】  上衣の天蓋付きポケットにおいて、ペンや物差しなどをポケット内へその外方から確実に収納させる。【解決手段】  前身頃地の胸部箇所を水平方向に穿設し、該穿設した上部片の前側面には天蓋を２ｃｍ〜５ｃｍの未縫着部分が残るようにして縫着すると共に、同裏面側にはポケット袋体の後側上辺を、そして前側上辺は前記穿設させた前身頃地下部片の後側面へ縫着させるほか、上記天蓋に於ける未縫着部分の残置箇所をポケット口となし、一枚の布片の上辺を上記天蓋の未縫着部分へ、その他の周辺は前記ポケット袋体内の後方部へ夫々れ縫着させ、これにより天蓋外方から直接的に挿入可能となしたペンや物差しなどの小物入れ用ポケットを構成した。【選択図】      図４
0003121526.tif 000002
【実用新案登録請求の範囲】
【請求項１】
前身頃地の胸部箇所を水平方向に１２ｃｍ〜２０ｃｍの範囲に穿設し、該穿設した上部片の前側面には同長寸法の天蓋を２ｃｍ〜５ｃｍの未縫着部分が残るようにして縫着すると共に、同裏面側にはその袋長寸法を１８ｃｍ〜２４ｃｍとなしたポケット袋体の後側上辺を、そして前側上辺は前記穿設させた前身頃地下部片の後側面へ縫着させるほか、上記天蓋に於ける未縫着部分の残置箇所をポケット口となし、このポケット袋体は長さ寸法を１０ｃｍ〜１８ｃｍにした一枚の布片の上辺を上記天蓋の未縫着部分へ、その他の周辺は前記ポケット袋体内の後方部へ夫々れ縫着させ、これにより天蓋外方から直接的に挿入可能となしたペンや物差しなどの小物入れ用ポケットを構成したことを特徴とする上衣の天蓋付きポケット構造。
【請求項２】
上記天蓋の未縫着部分は、その取付けられる長さ範囲中の何れか片側端箇所となしたことを特徴とする請求項１記載の上衣の天蓋付きポケット構造。
【考案の詳細な説明】
【技術分野】
【０００１】
本考案は、作業用、事務用やカジュアル等で着用する上衣の天蓋付きポケット構造に関する。
【背景技術】
【０００２】
図５は従来の天蓋付きポケット部分の詳細図で、図６は図５のＸ−Ｘ線断面図である。この図面は、前身頃地１１上のポケット生地１２に天蓋１３を備えてなる天蓋付きポケットであり、この天蓋１３の縫着箇所に凡そ２ｃｍ〜３ｃｍ程度の未縫着部を設け、該部を挿入口１３ａとして、ペンなどの器具を挿入し、ペンの留め具を天蓋１３に係止して使用するものである。しかし、この構造のものでは、天蓋１３上からペンを差し込んだ際に、必ずしもペンが正しくその直下のポケット袋に入るとは限らず、その外方へ滑り落ちて紛失したりすることがある。とりわけ、物差しの如く肉薄のものでは頻繁に発生する問題となる。
【特許文献１】実用新案登録第３０４１３２１号
【考案の開示】
【考案が解決しようとする課題】
【０００３】
本考案は上記の如き問題を皆無ならしめんとするものであって、即ち本考案によれば如何に肉薄であったり、或いは巾の狭いようなものであっても天蓋付きポケット内へ、その外方から確実に収納させることができるのである。
【課題を解決するための手段】
【０００４】
本考案に係る上衣の天蓋付きポケット構造は、前身頃地の胸部箇所を水平方向に１２ｃｍ〜２０ｃｍの範囲に穿設し、該穿設した上部片の前側面には同長寸法の天蓋を２ｃｍ〜５ｃｍの未縫着部分が残るようにして縫着すると共に、同裏面側にはその袋長寸法を１８ｃｍ〜２４ｃｍとなしたポケット袋体の後側上辺を、そして前側上辺は前記穿設させた前身頃地下部片の後側面へ縫着させるほか、上記天蓋に於ける未縫着部分の残置箇所をポケット口となし、このポケット袋体は長さ寸法を１０ｃｍ〜１８ｃｍにした一枚の布片の上辺を上記天蓋の未縫着部分へ、その他の周辺は前記ポケット袋体内の後方部へ夫々れ縫着させ、これにより天蓋外方から直接的に挿入可能となしたペンや物差しなどの小物入れ用ポケットを構成したことを特徴とする。このさい、上記天蓋の未縫着部分は、その取付けられる長さ範囲中の何れか片側端箇所となしたりする。
【考案の効果】
【０００５】
本考案品は以上の如き構成であり、仕事上でとりわけ使用頻度の高いペンや物差しなどの小物を、天蓋を開放させることなく即ち天蓋の外方から直接的にポケット袋内へ挿入させるので紛失したりせず、また取り出すのも容易であり、安全確実に収納保持できるものとなる。
【考案を実施するための最良の形態】
【０００６】
以下、図面に示す実施の態様について説明する。
図１は本考案を採用した上衣の正面図、図２は図１の胸ポケット部分の詳細図、図３は図２のＡ−Ａ線断面図、図４は図２の天蓋を開いた状態の一部破断説明図である。
【０００７】
各図に於いて、１は上衣、２は前身頃地、３はその胸箇所のポケット、４は該ポケットの天蓋である。本考案では上記ポケット３の作成にさいし、前身頃地２の胸部箇所を水平方向へ巾寸法ｗ１が１２ｃｍ〜２０ｃｍの範囲で上下部片２ａ、２ｂに穿設し、該穿設した上部片２ａの前側面に対し同巾寸法の天蓋４を縫着してなる。具体的には、前身頃地２の穿設した上部片２ａの前側面には対し２ｃｍ〜５ｃｍ程度の未縫着部分４ａがあるようにして縫着するのである。而して、該上部片２ａの裏面側にはポケット３の袋体の後側３ｃ上辺を縫着し、下部片２ｂの後側面に対しポケット袋体の前側３ｂ上辺を縫着してなる。
【０００８】
而して、上記の未縫着部分を小物入れ用ポケット口４ａとなさしめるのであり、このポケット袋体は長さ寸法Ｌ２を１０ｃｍ〜１８ｃｍとなした一枚の布片の上辺を上記天蓋４の未縫着部分の裏面側へ縫着し、他の周辺を即ち布片の左右側辺並びに下辺を前記ポケット袋体の後側３ｃへ縫着ａ、ｂ、ｃさせて袋体５を作成するのであり、これにより天蓋４の外方からペンや物差しなどの如く作業時に頻繁に使用する小物類を、天蓋４と無関係に簡便に出し入れすることのできるものとなる。しかも、これらの物品が従来の如く落下したり紛失したりするようなトラブルは一切発生したりすることがなくなる。
【０００９】
上記実施例では本考案の特徴とする該小物入れ用ポケットを、天蓋４の片側端へ片寄せした箇所に設けたものを示したが、その中央部に設けるようになしても良い。但し、使用勝手や縫製上の点からみると、左右の何れか片側隅とすることが好ましい。
【図面の簡単な説明】
【００１０】
【図１】本考案を採用した上衣の正面図である。
【図２】図１の胸ポケット部分の拡大詳細図である。
【図３】図２のＡ−Ａ線断面図である。
【図４】図２の天蓋を開いた状態の一部破断説明図である。
【図５】従来の天蓋付きポケット部分の詳細図である。
【図６】図５のＸ−Ｘ線断面図である。
【符号の説明】
【００１１】
１    上衣
２    前身頃地
３    ポケット
４    天蓋
５    小物入れ用ポケット
【図１】
0003121526.tif 000003
【図２】
0003121526.tif 000004
【図３】
0003121526.tif 000005
【図４】
0003121526.tif 000006
【図５】
0003121526.tif 000007
【図６】
0003121526.tif 000008
(57)【要約】【課題】  米・水を投入する碗形状の碗本体１と、碗本体１の開口部にセットする中蓋４と、中蓋４に覆設する外蓋５から成る２重蓋構造の電子レンジ用炊飯碗１において、加熱中の振動・押上げ等によって中蓋４が碗本体１の上面部分の閉鎖姿勢を崩して加熱流動物の溢れ出し、炊飯品質低下するのを防止する。【解決手段】  碗本体１の開口部の内周に、中蓋４の外周を着脱自在に載置する中蓋支承突部５を設けた構造が特徴である。【選択図】      図１
0003121522.tif 000002
【実用新案登録請求の範囲】
【請求項１】
米・水を投入する碗形状の碗本体と、該碗本体の開口部にセットする中蓋と、該中蓋に覆設する外蓋から成る２重蓋構造の電子レンジ用炊飯碗において、前記碗本体の開口部の内周に前記中蓋の周縁を着脱自在に載置する中蓋支承突部を設けた構造を特徴とする電子レンジ用炊飯碗。
【考案の詳細な説明】
【技術分野】
【０００１】
本考案は、陶器製または磁気製の丼形態にして、電子レンジで炊飯してそのまま食用碗として利用できる電子レンジ用炊飯碗に関するものである。
【背景技術】
【０００２】
電子レンジの加熱処理によって炊飯し、そのまま食飯丼として利用できる電子レンジ用炊飯碗（以下、単に炊飯碗という）は、特許文献１・２に示す公知例があり、そのうち特許文献１のものは（図２参照）米・水を入れて炊飯する上方開口碗形状の碗本体２が主要部を成している。
【０００３】
そして、この碗本体２の上縁開口部には、その上縁開口部の内周に下縁周を接合させて碗本体２の開口部を閉じて、炊飯時の碗本体２からの発生水蒸気を適量に抑止して炊飯を良質にすると共に、碗本体２からの内容物の流出を防止する中蓋４と、碗本体２の上端に覆着セットする外蓋３の２重蓋構造に設定されている。
【０００４】
【特許文献１】実用新登録案第３１１７１６３号公報
【特許文献２】実開平４−２１３１９号公報
【考案の開示】
【考案が解決しようとする課題】
【０００５】
以上の背景技術の炊飯碗１０は、中蓋４の下端周を碗本体２の上端近傍内周面に単に面接合させてセットし、中蓋４の自重のみによってセット姿勢を維持する構造の為、中蓋４のセット姿勢の安定性が不充分にして、中蓋４の機能が低下して碗本体２の炊飯品質を低下したり、流動状の炊飯物の碗外へのこぼれをもたらす不具合がある。
【０００６】
本考案は、以上の背景技術の難点を解消し、炊飯品質の一段の向上を図る炊飯碗を提供するものである。
【課題を解決するための手段】
【０００７】
以上の目的を達成する本考案の炊飯碗は、「米・水を投入する碗形状の碗本体と、該碗本体の開口部にセットする中蓋と、該中蓋に覆設する外蓋から成る２重蓋構造の電子レンジ用炊飯碗において、前記碗本体の開口部の内周に前記中蓋の周縁を着脱自在に載置する中蓋支承突部を設けた構造」が特徴である。
【０００８】
即ち、前記構成の本考案の炊飯碗は、碗本体の加熱による碗本体の米・水が沸騰によって乱流動するとき、その乱流動を受ける中蓋が容易に傾かないように、前記中蓋支承突部を設けた構造にして、その中蓋支承突部は碗本体の内周全周に形成したり、或は、碗本体の内周に適宜分割した複数の突起形状に形成する。
【考案の効果】
【０００９】
以上の構成の本考案の炊飯碗は、前記中蓋支承突部が存在するので、中蓋の自重を適量設定しておくと、米・水の沸騰乱流動・発生蒸気によるよる押上力を受けてガタガタ上下揺動しても、碗本体の上端開口部を概ね閉じて流動炊飯に適量の重力を付与して容易に不良姿勢になることが無く、中蓋存在による高品質良好な炊飯機能が安定持続できる。
【考案を実施するための最良の形態】
【００１０】
以下、好ましい実施例を説明する。
【実施例】
【００１１】
図１参照、この図１実施例のものは陶器製の電子レンジ用炊飯碗にして下記の構造を有している。即ち、上端を真円形に開口した丼形状の碗本体２に、真円形外周中高形にして碗本体２の上方開口部に着脱自在に復設する外蓋３と、碗本体２の上端近傍の内側に円形板の内蓋４を備え、碗本体２に所要の米・水を入れて電子レンジで加熱炊飯し、その加熱炊飯後に電子レンジから取り出して、そのまま食用丼として活用できる２重蓋構造に構成されている。
【００１２】
そして、この炊飯碗１には上端開口部の近傍の内側の円周に「上端が水平平滑にして載置した内蓋４の外周部分を着脱自在に載置セットする中蓋支承突部５が、碗本体２の内円周の全周に一様な形状を成して一体に設定されている。なお、図中の６は着脱操作用の握み、７は内蓋４・外蓋３に設けた通気孔である。
【００１３】
なお、この実施例の諸元は、湾本体２は陶製にして、内直径＝約１３０粍、深さ＝約６０粍、中蓋４は陶板にして、重量＝約１００グラムである。
【００１４】
以上の実施例の炊飯碗１は中蓋支承突起５が存在するので着用中の中蓋４の覆着姿勢が物理的に極めて安定し、炊飯碗１の米・水がレンジ加熱によって泡立ったり激しく上下流動して、中蓋４をガタガタ上下動させたり押し上げても、中蓋４は中蓋支承突部５から外れて傾く不良姿勢の発生は完全に防止され、中蓋４の存在機能が極めて良好に安定する。
【００１５】
以上の説明のとおり本考案の２重蓋構造の炊飯碗１は、電子レンジ加熱による炊飯性能が良好に安定して、加熱中の吹出しこぼれが無く、美麗良質な電子レンジ炊飯ができると共に、電子レンジ取り出し後は碗本体２をそのまま食用丼として活用可能にして、一般大衆需要者の炊飯・食用の便宜を向上する優れた効果がある。
【図面の簡単な説明】
【００１６】
【図１】本考案１実施例の電子レンジ用炊飯碗の構造説明の正面図
【図２】従来の電子レンジ用炊飯碗の構造説明の正面図
【符号の説明】
【００１７】
１  本考案の電子レンジ用炊飯碗
２  炊飯碗本体
３  外蓋
４  中蓋
５  中蓋支承突部
１０  従来の電子レンジ用炊飯碗
【図１】
0003121522.tif 000003
【図２】
0003121522.tif 000004
(57)【要約】【課題】冬期間の墓石本体を最良の状態で保存する事が出来る防雪柵を提供する事。【解決方法】フレームは金属製、プラスチツク等で構成される。固定フレーム（１）は４本の柱と前面を除く３面を水平つなぎ材で連結し柱脚部は墓所のコンクリートにアンカーボルトで固定する。シャフト（２）は固定フレーム（１）の柱部の内部に収納され断面の異なる材料を組合せ上下にスライドできる機能を持ち所定の位置で旋回接合により高さを保つ事が出来る。シャフト（２）を伸ばした状態で両側面部に設置してある下地受けフレーム（３）を前面部、背面部に移動し、下地材（５）を下地受けフレーム（３）の水平に配置された孔明部分に差し込み、防雪カバーを囲い易い形状を構成し冬季間以外はシャフト（２）を下げ、下地受けフレーム（３）を両側面に移動し保護柵全体をコンパクトに出来る構造とする。【選択図】図７
0003121596.tif 000002
【実用新案登録請求の範囲】
【請求項１】
フレームは金属製、プラスチック等で構成され固定フレームは４本の柱と前面を除く３面を水平つなぎ材で連結し柱脚部は墓所のコンクリートにアンカーボルトで固定する伸縮シャフトは固定フレームの柱部の内部に収納され断面の異なる材料を組合せ上下にスライドできる機能を持ち所定の位置で旋回接合により高さを保つ事が出来、シャフトを伸ばした状態で両側面部に設置してある下地受けフレームを前面部、背面部に移動し、下地材を下地受けフレームの水平に配置された孔明部分に差し込み、防雪カバーを囲い易い形状を構成する構造とする
【考案の詳細な説明】
【技術分野】
【０００１】この考案は、墓石を雪から保護する墓石防雪柵に関するものである。
【背景技術】
【０００２】従来、雪に対しての対策は殆んど無く一部で墓石に直接カバーを取付ける方法が行われているのが一般的である
【考案の開示】
【考案が解決しようとする課題】
【０００３】上記に記載された雪対策方法は、墓石の一部（竿石）には有効ですが墓石全体では有りません。本発明は墓石全体を雪害から守る事が出来る墓石防雪柵を提供することを目的とする
【課題を解決するための手段】
【０００４】上記課題を解決するために、冬季間は墓石全体を金属製、プラスチツク等の固定フレーム（１）の柱部分から，シャフト（２）を伸ばし，両側面部に設置してある下地受けフレーム（３）を前面部、背面部に移動し、下地材（５）を下地受けフレーム（３）の水平に配置された孔明部分に差し込み、防雪カバーを囲い易い形状を構成し冬季間以外はシャフト（２）を下げ、下地受けフレーム（５）を両側面に移動し保護柵全体をコンパクトに出来る構造とする。
【考案の効果】
【０００５】墓石が雪と直接触れる事が無い為、墓石自体または墓石間のコーキングの劣化を防ぐことで墓石自体を保護する事ができ、また冬季間以外は墓所の空間を害さない事ができる。
【考案を実施ための最良の形態】
【０００６】フレームは金属製、プラスチツク等で構成される。固定フレーム（１）は４本の柱と前面を除く３面を水平つなぎ材で連結し柱脚部は墓所のコンクリートにアンカーボルトで固定する。シャフト（２）は固定フレーム（１）の柱部の内部に収納され断面の異なる材料を組合せ上下にスライドできる機能を持ち所定の位置で旋回接合により高さを保つ事が出来る。シャフト（２）を伸ばした状態で両側面部に設置してある下地受けフレーム（３）を前面部、背面部に移動し、下地材（５）を下地受けフレーム（３）の水平に配置された孔明部分に差し込み、防雪カバーを囲い易い形状を構成し冬季間以外はシャフト（２）を下げ、下地受けフレーム（３）を両側面に移動し保護柵全体をコンパクトに出来る構造とする。
【図面の簡単な説明】
【０００７】
【図１】  冬季間以外の正面図である。
【図２】  冬季間以外の側面図である。
【図３】  冬季間の正面図である。
【図４】  冬季間の側面図である。
【図５】  冬季間以外の外観透視図である。
【図６】  冬季間使用時の外観透視図である。
【図７】  この考案の実施時の本体と墓石の関係を示す外観透視図である。
【符号の説明】
１    固定フレーム
２    伸縮シャフト
３    下地受けフレーム
４    頭部側面フレーム
５    防雪シート下地材
【図１】
0003121596.tif 000003
【図２】
0003121596.tif 000004
【図３】
0003121596.tif 000005
【図４】
0003121596.tif 000006
【図５】
0003121596.tif 000007
【図６】
0003121596.tif 000008
【図７】
0003121596.tif 000009
【手続補正書】
【提出日】平成17年12月2日(2005.12.2)
【手続補正１】
【補正対象書類名】実用新案登録請求の範囲
【補正対象項目名】全文
【補正方法】変更
【補正の内容】
【実用新案登録請求の範囲】
【請求項１】
防雪柵フレームは金属製・プラスチツク等の材質を使用し、固定フレーム・伸縮シャフト・下地受けフレーム・下地材で構成され、夏期は高さを下げ冬期は墓石より高くする機能を有し、固定フレームは４本柱と前面を除く３面を水平つなぎ材で連結し柱脚部は墓所のコンクリートにアンカーボルトで固定し、伸縮シャフトは固定フレームの柱部の内部に収納され、固定フレーム断面と異なる断面を組合せ上下にスライドできる機能を持ち、所定の位置で旋回接合により高さを保つ事が出来、下地受けフレームはＨ型形状で両端部を固定フレームの柱部に差し込む形で墓石防雪柵の両側面に配置してあるが冬期時は伸縮シャフトを上に伸ばすと同時に両側面に配置してある下地受けフレームを前面部、背面部に移動し、下地材を下地受けフレームの上部に配置された孔明部分に差し込み、防雪カバーを囲い易い形状を構成する墓石防雪柵。
(57)【要約】【課題】  狭い空間（通路・出入り口など）に手スリをそのまま壁に取り付けた場合、通路の有効幅が狭くなったりして、通行しにくかったり、小さな子供さんが頭にケガをする可能性などが出てくる。【解決手段】  そのまま手スリを取り付けたら、その手スリの分だけ出てしまう。その部分を無くすために、箱の中に手スリを入れて、その箱を壁に埋め込んでしまうことで解決につながると考える。【選択図】  図１
0003121597.tif 000002
【実用新案登録請求の範囲】
【請求項１】
介護用手スリを壁の中に入れる。
【請求項２】
介護用手スリを壁の中に入れる際、箱状の物に一旦手スリを取り付けて、それごと壁に埋め込む。
【考案の詳細な説明】
【技術分野】  本考案は介護用の手スリに関する考案である。
【背景技術】  現在、ほとんどの手スリは壁にそのまま取り付けられている。
【考案の開示】
【考案が解決しようとする課題】  介護用手スリを壁にそのまま取り付けた場合、手スリの出幅の分だけ通路や出入り口など通路側に出てしまい、有効幅が狭く成る為通行が不便となる。また手スリが突起物になり、ケガなどをする可能性出てきくる。
【考案の効果】  通路や出入り口などに、そのまま介護用手スリをつけた場合、通行が不便、けがをする可能性が有るなど多少の危険が発生するかもしれない。介護用手スリを埋め込んでしまえば、通行が快適になり、ケガもしにくくなり、手スリをつける以前のように安全に通行が出来る。
【図面の簡単な説明】
【図１】  埋め込んだ手スリを立体的に表現した図である。
【図２】  埋め込んだ手スリの平面図である。
【図１】
0003121597.tif 000003
【図２】
0003121597.tif 000004
【手続補正書】
【提出日】平成17年11月11日(2005.11.11)
【手続補正１】
【補正対象書類名】実用新案登録請求の範囲
【補正対象項目名】全文
【補正方法】変更
【補正の内容】
【実用新案登録請求の範囲】
【請求項１】
箱型の中に手摺りを埋め込む形状を有する『埋め込み式手摺り』。
0003121597.tif 000005
0003121597.tif 000006
【手続補正書】
【提出日】平成18年3月2日(2006.3.2)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】本考案は介護用手スリに関する考案である。
【背景技術】
【０００２】現在、ほとんどの手スリは壁にそのまま取り付けられている。
【考案の開示】
【考案が解決しようとする課題】
【０００３】  介護用手スリを壁にそのまま取り付けた場合、手スリの出幅の分だけ通路や出入り口など通路側に出てしまい、有効幅が狭く成る為通行が不便となる。また手スリが突起物になり、ケガなどをする可能性が出てくる。
【考案の効果】
【０００４】  通路や出入り口などに、そのまま介護用手スリをつけた場合、通行が不便、けがをする可能性があるなど多少の危険が発生するかもしれない。介護用手スリを埋め込んでしまえば、通行が快適になり、ケガもしにくくなり、手スリをつける以前のように安全に通行が出来る。
【図面の簡単な説明】
【０００５】
【図１】埋め込んだ手スリを立体的に表現した図である。
【図２】埋め込んだ手スリの平面図である。
【符号の説明】
１  箱形
２  手摺り
３  取り付けビス
【手続補正２】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003121597.tif 000007
【図２】
0003121597.tif 000008
(57)【要約】      （修正有）【課題】従来のガーベラにない将来の発展形を模索し、１輪の美しさを追究する。【解決手段】１はガーベラの切花で、ガーベラ本体２における内側の花べん３に造形成形を施すことにより、当該内側の花べんにハート型、丸形、三角型などの所望する形状４が形成されている。【選択図】図１
0003121591.tif 000002
【実用新案登録請求の範囲】
ガーベラ内側花べんの造形と成形
【考案の詳細な説明】
【技術分野】
【０００１】観賞用に栽培され、多く切花として流通、葉は根生で原産地は、アフリカキク科
【背景技術】
【０００２】一重、八重がある。
【考案の開示】
【考案が解決しようとする課題】
【０００３】従来のガーベラにない将来の発展形を模索し、１輪の美しさを追究。
【課題を解決するための手段】
【０００４】一重は一重、八重は八重の美しさがあるが内側の花べんを整理、造形成形することによりスマートになる。
【考案の効果】
【０００５】新鮮美があり、新種となりえる感があるものもある。
【考案を実施するための最良の形態】
【０００６】内側に花べんのあるガーベラ。
【実施例】
【０００７】ガーベラの中にある時外側の花べんが裏がえりのものがあり、整理することである程度形成されたが、まだ足りず、内側の花べんを整理していくと、内側が造形へと至ることに気づいた。
【産業上の利用可能性】
【０００８】ガーベラの内側を造形成形することは、ガーベラがキャンバスになりえ、一重、八重とも、切花としてはもちろん、ロゴ、ファッション、企業イメージにもつながるものと考える。
【図面の簡単な説明】
【０００９】
【図１】内側花べんの整理、成形
【図２】内側花べんの造形
【図３】内側花べんの造形
【図４】がく
【図１】
0003121591.tif 000003
【図２】
0003121591.tif 000004
【図３】
0003121591.tif 000005
【図４】
0003121591.tif 000006
【手続補正書】
【提出日】平成17年4月30日(2005.4.30)
【手続補正２】
【補正対象書類名】実用新案登録請求の範囲
【補正対象項目名】全文
【補正方法】変更
【補正の内容】
【実用新案登録請求の範囲】
【請求項１】
内側花べんの造形と成形のガーベラは生花で、葉状は卵形、波状で、あいだより約４０ｃｍ〜８０ｃｍの花茎を出し、ミニの物もあり、色は、鮮やかなものが各色ある。
輸入品種の栽培が中心になっており、水あげは良く、花もちは２週間程度である。
内側花べんの造形と成形のガーベラの最盛期は、１０月、１１月だが、周年出荷が見られる切花である。
内側花べんの造形と成形のガーベラは、お花のお稽古として各流派多用される花材である。
内側花べんの造形と成形は、生花店においても、冠婚葬祭をはじめ、フラワーアレンジメント、花束、ドライフラワー、押し花と使うことができる。
和名は、オオセンボンヤリ、ハナグルマである。
【手続補正書】
【提出日】平成17年9月7日(2005.9.7)
【手続補正１】
【補正対象書類名】実用新案登録請求の範囲
【補正対象項目名】全文
【補正方法】変更
【補正の内容】
【実用新案登録請求の範囲】
【請求項１】
ガーベラ内側花べんの造形と成形
【手続補正書】
【提出日】平成18年1月13日(2006.1.13)
【手続補正１】
【補正対象書類名】実用新案登録請求の範囲
【補正対象項目名】全文
【補正方法】変更
【補正の内容】
【実用新案登録請求の範囲】
【請求項１】
ガーベラ本体における内側の花べんに造形成形を施すことで、当該内側の花べんにハート型、丸型、三角型などの所望する形状を形成したことを特徴とするガーベラの切花。
【手続補正２】
【補正対象書類名】明細書
【補正対象項目名】全文
【補正方法】変更
【補正の内容】
【考案の詳細な説明】
【技術分野】
【０００１】
ガーベラは、観賞用に栽培され、多く切花として流通、葉は根生で原産地は、アフリカキク科に属するものであるが、このようなガーベラの切花に関するものである。
【背景技術】
【０００２】
ガーベラには、一重と八重がある。
【考案の開示】
【考案が解決しようとする課題】
【０００３】
従来のガーベラにない将来の発展形を模索し、１輪の美しさを追究しようとするものである。
【課題を解決するための手段】
【０００４】
一重は一重、八重は八重の美しさがあるが、内側の花べんを整理、造形成形することにより、当該内側の花べんにハート型、丸型、三角型などの所望する形状を形成することでスマートなガーベラの切花になる。
【考案の効果】
【０００５】
新鮮美があり、新種となりえる感があるものもある。
【考案を実施するための最良の形態】
【０００６】
１は本考案のガーベラの切花で、ガーベラ本体２における内側の花べん３に造形成形を施すことにより、当該内側の花べんにハート型、丸型、三角型などの所望する形状４が形成されている。
【実施例】
【０００７】
ガーベラの中にある時外側の花べんが裏がえりのものがあり、整理することである程度形成されたが、まだ足りず、内側の花べんを整理していくと、内側が造形へと至ることになる。
【産業上の利用可能性】
【０００８】
ガーベラの内側の花べんに造形成形により所望する形状を形成することは、ガーベラがキャンバスになりえ、一重、八重とも、切花としてはもちろん、ロゴ、ファッション、企業イメージにもつながるものと考える。
【図面の簡単な説明】
【０００９】
【図１】内側の花べんにハート型の形状を形成した状態の斜視図である。
【図２】内側の花べんに丸型の形状を形成した状態の斜視図である。
【図３】内側の花べんに三角型の形状を形成した状態の斜視図である。
【図４】花べんに所望する形状を形成する前の状態の斜視図である。
【符号の説明】
【００１０】
１ ガーベラの切花
２ ガーベラ本体
３ 内側の花べん
４ ハート型、丸型、三角型などの形状
【手続補正３】
【補正対象書類名】図面
【補正対象項目名】全図
【補正方法】変更
【補正の内容】
【図１】
0003121591.tif 000007
【図２】
0003121591.tif 000008
【図３】
0003121591.tif 000009
【図４】
0003121591.tif 000010
(57)【要約】      （修正有）【課題】本考案は男女共用のウオッシュレットで女性の使用時肛門洗浄の際に発生する汚染された飛沫が膣口や尿道口に近い所迄くる事が心配であるがそれを別の洗浄水で洗い流す様にする事によって心配を防止する。【解決手段】本考案は女性専用ボタンを設けそれを押すと尿道口・膣口洗浄が始まりその後数秒後にタイマーリレーが働いて自動的に肛門洗浄が始まる様に設計した。【選択図】図１
0003121600.tif 000002
【実用新案登録請求の範囲】
【請求項１】
男女共用のウオッシュレットにおいて女性が用便を終了した時点で通常はすぐにおしり洗浄のボタンを押して肛門洗浄をするが洗浄の際微細な汚水が飛散するので肛門洗浄をすぐにするのではなくて新しく設けた女性専用ボタンを押してタイマーリレーの電気回路を利用して時間的に少し前から尿道口膣口洗浄をしながら肛門洗浄が始まる仕組を持ったウオッシュレット。
【考案の詳細な説明】
【技術分野】
【０００１】  本考案はタイマーリレーを活用して女性の尿道口・膣口への汚染を少なくしようとしたウオッシュレットに関するものである。
【背景技術】
【０００２】  女性の場合肛門・膣口尿道口が極めて近い位置にある事が本考案の背景である。
【考案の開示】
【考案が解決しようとする課題】
【０００３】  ウオシュレットの出現により気持良く排便が可能になりましたが、女性使用時肛門へのノズル噴射により肛門に当った洗浄水が汚水となって四方に飛散した場合女性の尿道口に達する恐れがあり膀胱炎などの尿路感染症にかゝりやすくしかも尿道が短いので細菌が膀胱迄到達しやすいのです。
【課題を解決するための手段】
【０００４】本考案は通常便座の片側に附いている操作盤に新しく女性専用ボタンを設けそのボタンを押すと尿道口膣口洗浄が始まりその数秒後にタイマーリレーが働いて自動的に肛門洗浄がはじまります。
【考案の効果】
【０００５】女性専用ボタンを利用すれば上述の様に肛門洗浄の前に尿道口・膣口洗浄を先にするので肛門洗浄の際発生する汚染水をガードし近くに来た汚染も尿道口・膣口洗浄の水で下に流して清潔に貢献します。
【考案の実施するための最良の形態】
【０００６】通常便座の座って右側にある操作盤にタイマーリレーの電気回路を有する女性専用ボタンを設けそれを押すことによって尿道口・膣口洗浄が始まり数秒後に今度は肛門洗浄が始まるようになっています。この時点ではそれぞれ尿道口・膣口・肛門洗浄全てが作動しています、肛門洗浄が終った時点で操作盤上の・止・のボタンを押せばすべての洗浄機能が止まりタイマーも元に戻るようになっていますが急ぐ場合や通常の肛門洗浄や尿道口・膣口洗浄のみの選択も操作盤上のそれぞれのボタンを押せば無論出来るようになっています。
【図面の簡単な説明】
【０００７】
【図１】  本考案で使用するタイマー関係のシーケンス図
【図２】  本考案の実施の形態におけるウォッシュレットの斜視図
【図３】  本考案のウオシュレットの操作盤
【符号の説明】
【０００８】Ａ    電源ＡＣ１００Ｖの端子
Ｃ    電源ＡＣ１００Ｖのもうひとつの端子
１    押しボタンＯＮ専用で女性専用ボタン
２    押しボタンＯＦＦ専用
３    リレーコイル
４    押しボタン１の接点
５    リレーの接点
６    タイマーコイル
７    タイマー
８    タイマー接点
Ｂ    ＯＦＦボタンと３のリレーコイルの中間点
９    リレーコイル
Ｄ    ８のタイマー接点と９のリレーコイルの中間点
１０  ウオシュレットのノズル
１１  ウオシュレットの操作盤
１２  ウオシュレットの便座
１３  便器の中の汚物を流す水タンク
１４  水タンク１３のレバー
１５  ウオシュレットの操作盤上の止のボタン
１６  おしり洗浄ボタン
１７  ビデボタン
１８  乾燥ボタン
１９  水勢調節ボタン
２０  女性専用ボタン
【図１】
0003121600.tif 000003
【図２】
0003121600.tif 000004
【図３】
0003121600.tif 000005
【手続補正書】
【提出日】平成18年1月27日(2006.1.27)
【手続補正１】
【補正対象書類名】実用新案登録請求の範囲
【補正対象項目名】全文
【補正方法】変更
【補正の内容】
【実用新案登録請求の範囲】
【請求項１】
男女共用の温水洗浄トイレにおいて女性が用便を終了した時点で通常はすぐにおしり洗浄のボタンを押して肛門洗浄をするが洗浄の際微細な汚水が飛散するので肛門洗浄をすぐにするのではなくて新しく設けた女性専用ボタンを押してタイマーリレーの電気回路を利用して時間的に少し前から尿道口、膣口洗浄をしながら肛門洗浄が始まる仕組を持った温水洗浄トイレ
【手続補正３】
【補正対象書類名】明細書
【補正対象項目名】０００１
【補正方法】変更
【補正の内容】
【０００１】  本考案はタイマーリレーを活用して女性の尿道口・膣口への汚染を少なくしようとした温水洗浄トイレに関するものである。
【手続補正４】
【補正対象書類名】明細書
【補正対象項目名】０００３
【補正方法】変更
【補正の内容】
【０００３】        温水洗浄トイレの出現により気持ち良く排便が可能になりましたが女性使用時  肛門へのノズル噴射により肛門に当った洗浄水が汚水となって四方に飛散した場合  女性の尿道口に達する恐れがあり膀胱炎などの尿路感染症にかゝりやすくしかも尿道が短いので細菌が膀胱迄到達しやすいのです。
【手続補正５】
【補正対象書類名】明細書
【補正対象項目名】０００７
【補正方法】変更
【補正の内容】
【０００７】
【図１】  本考案で使用するタイマー関係のシーケンス図
【図２】  本考案の実施の形態における温水洗浄トイレの斜視図
【図３】  本考案の温水洗浄トイレの操作盤
【手続補正６】
【補正対象書類名】明細書
【補正対象項目名】０００８
【補正方法】変更
【補正の内容】
【０００８】  Ａ    電源ＡＣ１００Ｖの端子
Ｃ    電源ＡＣ１００Ｖのもうひとつの端子
１    押しボタンＯＮ専用で女性専用ボタン
２    押しボタンＯＦＦ専用
３    リレーコイル
４    押しボタン１の接点
５    リレーの接点
６    タイマーコイル
７    タイマー
８    タイマー接点
Ｂ    ＯＦＦボタンと３のリレーコイルの中間点
９    リレーコイル
Ｄ    ８のタイマー接点と９のリレーコイルの中間点
１０    温水洗浄トイレのノズル
１１    温水洗浄トイレの操作盤
１２    温水洗浄トイレの便座
１３    便器の中の汚物を流す水タンク
１４    水タンク１３のレバー
１５    温水洗浄トイレの操作盤上のボタン
１６    おしり洗浄ボタン
１７    ビデボタン
１８    乾燥ボタン
１９    水勢調節ボタン
２０    女性専用ボタン
(57)【要約】【課題】マイクの電源入り中、切り中をマイク使用者の目線から、一目で判るようにする。【解決手段】マイク頭部４の中心に、電源が入ると赤色点灯ランプが、点灯するようにした。周囲からは、点灯ランプが見えにくいように、少し中に付けた。【選択図】図１
0003121598.tif 000002
【実用新案登録請求の範囲】
【請求項１】
マイクの頭部に、電源が入ると点灯する赤色点灯ランプを付ける。
【請求項２】
点灯ランプは、周囲から見えにくいように、マイク頭部の少し中に付ける。
【考案の詳細な説明】
【技術分野】
【０００１】本考案は、マイクの電源が入り中、切り中かを、マイク使用者の目線から、一目で判るようにするために、マイクの頭部中心に、電源が入ると、点灯する赤色点灯ランプを付けた。点灯ランプは、周囲からは、見えにくいように頭部の少し中に付けた。
【背景技術】
【０００２】従来は、電源入り中、切り中が、マイク使用者の目線から一目で判るマイクはなかった。マイクの頭部に、点灯ランプの付いたマイクはなかった。
【考案の開示】
【考案が解決しようとする課題】
【０００３】挨拶や歌などのマイク使用者が、電源が入っていない事に気付かずに話し始める、歌い始めてしまう問題点。電源が入っている事に気付かず、余計な声が入ってしまう問題点。電源入り中かを確認するため、自分の声で確めたり、マイクを手で叩いて音を確めるという作業が必要であり問題点であった。
【課題を解決するための手段】
【０００４】マイク使用者が、電源入り中が一目で判るように、マイクの頭部中心に、電源が入ると、赤色点灯ランプ２が点灯するようにした。
【考案の効果】
【０００５】マイク使用者の目線から、電源入り中が一目で判るため、電源入り中、切り中の反対使用の間違いがなくなり、電源入り中かの確認を声や、マイクを手で叩くことをしなくてよい。
【図面の簡単な説明】
【０００６】
【図１】本考案の点灯ランプを示した断面図である。
【図２】本考案の真上から見た図である。
【図３】本考案の正面図である。
【符号の説明】
【０００７】１  マイクロホン本体
２  赤色点灯ランプ
３  くぼみ
４  マイク頭部
５  電源スイッチ
【図１】
0003121598.tif 000003
【図２】
0003121598.tif 000004
【図３】
0003121598.tif 000005
【手続補正書】
【提出日】平成17年12月6日(2005.12.6)
【手続補正１】
【補正対象書類名】実用新案登録請求の範囲
【補正対象項目名】全文
【補正方法】変更
【補正の内容】
【実用新案登録請求の範囲】
【請求項１】
マイクの頭部に、電源が入ると点灯する赤色点灯ランプを付けたことを特徴とするマイク。
【請求項２】
点灯ランプは、周囲から見えにくいように、マイク頭部の少し中に付けることを特徴とする請求項１記載のマイク。
(57)【要約】      （修正有）【課題】手摺取り付け後、廊下等の幅員減少を抑える。【解決手段】手摺棒１を取り付けたボックス２を壁３の下地の空間に納めることにより、廊下等の幅員の減少を最小限に抑えるのを特徴とする。【選択図】図１
0003121594.tif 000002
【実用新案登録請求の範囲】
【請求項１】
手摺を内蔵したボックスを、壁の下地の空間に納めることにより、手摺の壁からの出が少ないことを特徴とする。
【考案の詳細な説明】
【技術分野】
【００１】本考案は、一般家屋の壁等に取り付けられる、手摺に関する。
【背景技術】
【００２】従来、手摺は壁に取り付けられるため、製品にもよるが、８センチ程度の出となり、廊下等の幅員が狭くなる。
【考案の開示】
【考案が解決しようとする課題】
【００３】本考案は、手摺取り付け後、廊下等の幅員の減少を最小限にすることである。
【課題を解決するための手段】
【００４】上述の目的を達成する本考案の手摺内蔵ボックスは、手摺を内蔵されたボックスを壁の空間に壁の下地の空間に納めることにより、壁からの出を抑えたことを特徴とする。
【考案の効果】
【００５】以上説明したように本考案によれば、壁の下地の空間に納めることにより、廊下等の幅員の減少を抑えるのに極めて有効である。
【考案を実施するための最良の形態】
【００６】以下、本考案の実施の形態を図面に基づき説明する。【００７】図１〜３は本考案の形態に係り、図１は正面図、図２は垂直方向の断面図、図３は水平方向の断面図。【００８】図１に示すように、ボックス１に手摺棒２を取り付ける。【００９】図３に示すように、ボックス１を壁４に固定する。
【実施例】
【０１０】ボックス１は例えば、Ｗ９００ｍｍ×Ｈ３５０ｍｍ×Ｄ８０ｍｍの寸法を有する形状をしており、一般家屋等の主要構造部（柱）間に納めることができ、改修時にも容易に取り付けが可能である。【０１１】以上、本考案は実施の形態及び実施例を説明したが、本考案の範囲はこれに限定されるものでない。例えば、ボックスの形態、手摺の取り付け位置、壁への取り付け方法など、状況に応じて適宜選択されるものである。
【産業上の利用可能性】
【０１２】本考案は手摺として有用な手摺を製造、販売する産業分野で利用することができる。
【図面の簡単な説明】
【０１３】
【図１】本考案の第１の実施形態に係る、正面図である。
【図２】図１の垂直方向の断面図。
【図３】図１の水平方向の断面図。
【符号の説明】
【０１４】１          ボックス
２          手摺棒
３          壁
【図１】
0003121594.tif 000003
【図２】
0003121594.tif 000004
【図３】
0003121594.tif 000005
【手続補正書】
【提出日】平成17年8月4日(2005.8.4)
【手続補正１】
【補正対象書類名】実用新案登録請求の範囲
【補正対象項目名】全文
【補正方法】変更
【補正の内容】
【実用新案登録請求の範囲】
【請求項１】
長方形（３５０ｍｍ×９００ｍｍ程度）の板に、縁をそれぞれ７５ｍｍ程度残し長方形の開口を空け、その開口に合わせた奥行き８０ｍｍ程度の直方体の箱と開口を空けた長方形の板と組み合わせ、ボックスを作る。そのボックス内に手摺り棒が内蔵されたことを特徴とする手摺り内蔵ボックス。
【手続補正書】
【提出日】平成17年11月8日(2005.11.8)
【手続補正１】
【補正対象書類名】実用新案登録請求の範囲
【補正対象項目名】全文
【補正方法】変更
【補正の内容】
【実用新案登録請求の範囲】
【請求項１】
手すり内臓ボックスにおいて、
（１）３５０ｍｍ×９００ｍｍ程度の長方形の板に、縁をそれぞれ７５ｍｍ程度残し長方形の開口を空け、
（２）開口に合わせた奥行き８０ｍｍ程度の直方体の箱と開口を空けた長方形の板と組み合わせボックスを作り、
（３）ボックス内に手摺り棒を取り付け、
以上の構成からなる手摺り内蔵ボックス。
(57)【要約】【課題】  従来にない手段によって、時計バンドの汚れや臭いを防止することにある。【解決手段】  時計バンド１０の裏面には、裏材２０が張り付けられている。この裏材２０には、エンボス加工２１が施されている。また、この裏材２０は、ポリウレタンなどの樹脂材に二酸化チタンのパウダーを配合した。【選択図】  図１
0003121538.tif 000002
【実用新案登録請求の範囲】
【請求項１】
時計バンドの裏面には、裏材が張り付けられており、この裏材には、エンボス加工が施されるとともに、この裏材は、ポリウレタンなどの樹脂材に二酸化チタンのパウダーを配合したものからなることを特徴とする時計バンド。
【考案の詳細な説明】
【技術分野】
【０００１】
本考案は、時計バンドに関するものである。
【背景技術】
【０００２】
従来より、時計バンドの汚れや臭いを防止するための手段として種々のものが考えられてきた（特許文献１などを参照のこと）。
【０００３】
【特許文献１】実用新案登録第３０６７２００号公報
【考案の開示】
【考案が解決しようとする課題】
【０００４】
本考案者らは、従来にない手段によって、時計バンドの汚れや臭いを防止する本考案を完成した。
【課題を解決するための手段】
【０００５】
本考案者らの完成した本考案は、時計バンドの裏面に、裏材が張り付けられており、この裏材には、エンボス加工が施されるとともに、この裏材は、ポリウレタンなどの樹脂材に二酸化チタンのパウダーを配合したものからなることを特徴とする時計バンドである。
【考案の効果】
【０００６】
本考案によれば、次のような効果を有する。
（１）裏材のエンボス加工によって、バンドの裏面と肌との接触面積が多少緩和し、通気性がよくなり、汚れなどの溜まりも軽減される。
（２）裏材に二酸化チタンのパウダーを配合することで光触媒作用を有し、光を吸収することで化学変化が起こり、バンドに付いた汚れや臭いが分解される。
（３）それらの結果、バンドの清潔状態が維持され、バンドが長持ちする。
【考案を実施するための最良の形態】
【０００７】
本考案の実施形態を図面に基づいて説明する。
図１は、本考案に係る時計バンドの使用状態を示す斜視図である。
図示するように、時計バンド１０の裏面には、裏材２０が張り付けられている。この裏材２０には、エンボス加工２１が施されている。
【０００８】
図２は、本考案に係る時計バンドの裏面状態を示す裏面図である。
図示するように、裏材２０にはエンボス加工２１が施され、エンボス加工２１を詳細に説明したものが、図３〜図６である。
【０００９】
図３は、図２のＢ−Ｂ部分拡大図であり、図４は、図３のＤ−Ｄ断面図である。
図５は、図２のＣ−Ｃ部分拡大図であり、図６は、図５のＥ−Ｅ断面図である。
【００１０】
また、この裏材２０は、ポリウレタンなどの樹脂材に二酸化チタンのパウダーを配合した。
【００１１】
以上のような裏材２０を備えることによって、時計バンド１０には以下のような効果がある。
（１）裏材２０のエンボス加工２１によって、時計バンド１０の裏面と肌との接触面積が多少緩和し、通気性がよくなり、汚れなどの溜まりも軽減される。
（２）裏材２０に二酸化チタンのパウダーを配合することで光触媒作用を有し、光を吸収することで化学変化が起こり、時計バンド１０に付いた汚れや臭いが分解される。
（３）それらの結果、時計バンド１０の清潔状態が維持され、バンドが長持ちする。
【産業上の利用可能性】
【００１２】
本考案は、時計バンドに利用できるものである。
【図面の簡単な説明】
【００１３】
【図１】本考案に係る時計バンドの使用状態を示す斜視図。
【図２】本考案に係る時計バンドの裏面状態を示す裏面図。
【図３】図２のＢ−Ｂ部分拡大図。
【図４】図３のＤ−Ｄ断面図。
【図５】図２のＣ−Ｃ部分拡大図。
【図６】図５のＥ−Ｅ断面図。
【符号の説明】
【００１４】
１０  時計バンド    ２０  裏材    ２１  エンボス加工
【図１】
0003121538.tif 000003
【図２】
0003121538.tif 000004
【図３】
0003121538.tif 000005
【図４】
0003121538.tif 000006
【図５】
0003121538.tif 000007
【図６】
0003121538.tif 000008